(57)【要約】【課題】狭幅であって、かつ相手コネクタの嵌合が容易なコネクタが提供される。【解決手段】このコネクタ１の樹脂ハウジング１０は、略長方形状の嵌合面１１を有する。また、金属シェル３０は、基部３１と、湾曲部３２と、支持部３３とを有する。基部３１は、嵌合面１１の周縁から立ち上がりその周縁に沿って延びて嵌合面１１を一周に亘って略長方形状に取り巻いている。また、湾曲部３２は、基部３１の上端に繋がり内向きに半円形に湾曲して相手コネクタを案内する。さらに、支持部３３は、湾曲部３２から基部３１の内壁面に沿い嵌合面１１に向かって垂下した形状を有し、相手コネクタを支持することで、樹脂ハウジング１０は、金属シェル３０の長手方向に延びる部分の側面に沿う立壁を持たずに、相手コネクタの幅方向内側面を金属シェル３０が支持する。【選択図】図１
2017050269.tif 000002
【特許請求の範囲】
【請求項１】
略長方形状の嵌合面を有する樹脂ハウジングと、
長手方向に配列されて前記樹脂ハウジングに支持された複数のコンタクトと、
前記嵌合面周縁から立ち上がり該周縁に沿って延びて該嵌合面を一周に亘って略長方形状に取り巻いた基部と、該基部の上端に繋がり内向きに半円形に湾曲して相手コネクタを案内する湾曲部と、該湾曲部から該基部の内壁面に沿い該嵌合面に向かって垂下した、相手コネクタを支持する支持部とを有する金属シェルと備え、
前記樹脂ハウジングが、前記金属シェルの長手方向に延びる部分の側面に沿う立壁を持たずに、相手コネクタの幅方向内側面を該金属シェルが支持するものであることを特徴とするコネクタ。
【請求項２】
前記金属シェルの前記湾曲部および前記支持部は、前記基部の略長方形状の４隅の領域を除く領域に形成されていて、該金属シェルの該４隅の領域は、該湾曲部および該支持部を除く該基部のみで形成されていることを特徴とする請求項１に記載のコネクタ。
【請求項３】
前記金属シェルが、一体に形成された１つの部品からなることを特徴とする請求項１または２に記載のコネクタ。
【請求項４】
前記金属シェルが、複数の部品の組合せからなることを特徴とする請求項１または２に記載のコネクタ。
【請求項５】
前記金属シェルが、長手方向両端の中央で分かれた、互いに同一形状の２つの部品の組合せからなることを特徴とする請求項４に記載のコネクタ。
【発明の詳細な説明】
【技術分野】
【０００１】
本発明は、回路基板どうしの接続に好適なコネクタに関する。
【背景技術】
【０００２】
近年、コネクタの用途によっては、そのコネクタの益々の小型化、狭幅化が要求されてきている。例えば、携帯型機器に内蔵される回路基板どうしの接続に用いる基板対基板型のコネクタを取り上げる。この用途のコネクタの場合、数十本ものコンタクトを配列したコネクタであって、例えば長さ１０ｍｍ以下、幅１．５ｍｍ以下という極めて小型の寸法が要求されてきている。
【０００３】
ここで、特許文献１には、嵌合面から立ち上がった立壁を有するハウジングとその立壁の側面に沿うシェルとを備えたコネクタが開示されている。
【先行技術文献】
【特許文献】
【０００４】
【特許文献１】特開２０１５−１３５８０６号公報
【発明の概要】
【発明が解決しようとする課題】
【０００５】
上掲の特許文献１のコネクタの場合、ハウジングの構造が邪魔となってコネクタの更なる狭幅化が困難である。
【０００６】
また、コネクタの小型化、狭幅化が進むと、コネクタどうしを嵌合させるための位置合わせが益々難しくなる。すなわち、小型化、狭幅化を達成した上で、如何に容易かつ安全な嵌合を可能とするかという点も課題である。
【０００７】
本発明は、上記事情に鑑み、狭幅化であってかつ相手コネクタの嵌合が容易なコネクタを提供することを目的とする。
【課題を解決するための手段】
【０００８】
上記目的を達成する本発明のコネクタは、
略長方形状の嵌合面を有する樹脂ハウジングと、
長手方向に配列されて樹脂ハウジングに支持された複数のコンタクトと、
上記嵌合面周縁から立ち上がりその周縁に沿って延びて嵌合面を一周に亘って略長方形状に取り巻いた基部と、その基部の上端に繋がり内向きに半円形に湾曲して相手コネクタを案内する湾曲部と、湾曲部から基部の内壁面に沿い嵌合面に向かって垂下した、相手コネクタを支持する支持部とを有する金属シェルと備え、
上記樹脂ハウジングが、金属シェルの長手方向に延びる部分の側面に沿う立壁を持たずに、相手コネクタの幅方向内側面を金属シェルが支持するものであることを特徴とする。
【０００９】
本発明のコネクタの場合、樹脂ハウジングは、金属シェルの、長手方向に延びる部分の側面に沿う立壁を持っていない。そして、本発明のコネクタは、嵌合してきた相手コネクタの幅方向内側面を金属シェルが支持する構造となっている。したがって、樹脂ハウジングが金属シェルの側面に沿う立壁を持たない分、更なる狭幅化を可能としている。
【００１０】
また、本発明のコネクタの金属シェルは、上記の湾曲部を備えている。この湾曲部は、内向きに湾曲していることから、コネクタの幅寸法を広げることはない。また、嵌合してきた相手コネクタがこの湾曲部により正しい嵌合位置に案内されるため、嵌合が容易となる。さらに、この金属シェルは、上記の支持部を備えている。この支持部は、嵌合してきた相手コネクタを支持する役割を担っている。この支持部は、さらに、上記基部と合わせて２倍の厚みとなって、金属シェルを相手コネクタの支持に必要な強度に保つ役割も担っている。
【００１１】
ここで、本発明のコネクタにおいて、金属シェルの湾曲部および支持部は、基部の略長方形状の４隅の領域を除く領域に形成されていて、金属シェルの４隅の領域は、湾曲部および支持部を除く基部のみで形成されていることが好ましい。
【００１２】
金属シェルの４隅の領域は湾曲部および支持部を除く基部のみで形成されている。このため、相手コネクタの長手方向両端部は、その両端部を除く中央部分よりも幅広に形成される。この幅広に形成された両端部は、基部のみで形成されている金属シェルの長手方向両端部にしか嵌合できない。すなわち、相手コネクタは、長手方向について正しい位置関係にあるときのみ嵌合することができる。したがって、相手コネクタが長手方向にずれた位置にあるまま、その相手コネクタの一方の端部が誤嵌合することが防止され、コネクタの誤った嵌合による破損等が防止される。
【００１３】
本発明のコネクタにおいて、上記金属シェルが、一体に形成された１つの部品からなることが好ましい。
【００１４】
金属シェルが１つの部品で構成されている場合、金属シェルが複数部品の組み合わせで構成されている場合と比べ樹脂ハウジングとの高精度な位置合わせが可能であり、相手コネクタをより正確な位置に案内することができる。
【００１５】
また、本発明のコネクタにおいて、上記金属シェルが、複数の部品の組合せからなることも好ましい態様である。
【００１６】
上記の金属シェルを１つの部品で構成する場合、樹脂ハウジングの嵌合面を取り巻く開口部の構造を形成するための絞り加工等が工数を要し、金属シェルを複数の部品の組合せで構成することで製造が容易となる。
【００１７】
ここで、上記金属シェルを複数の部品の組合せで構成する場合において、その金属シェルが、長手方向両端の中央で分かれた、互いに同一形状の２つの部品の組合せからなることがさらに好ましい。
【００１８】
この構造の金属シェルを採用すると、製造が一層容易となる。
【発明の効果】
【００１９】
以上の本発明によれば、狭幅であって、かつ狭幅にもかかわらず相手コネクタの嵌合が容易なコネクタが提供される。
【図面の簡単な説明】
【００２０】
【図１】本発明の第１実施形態としてのコネクタの外観斜視図である。
【図２】図１に示すコネクタの分解斜視図である。
【図３】相手コネクタの外観斜視図である。
【図４】図１，図２に示すコネクタと図３に示す相手コネクタを嵌合の姿勢に合わせて示した、嵌合前の状態の斜視図である。
【図５】図４に示す矢印Ａ−Ａおよび矢印Ｂ−Ｂに沿う、２つのコネクタの断面図である。
【図６】図１，図２に示すコネクタと図３に示す相手コネクタの、嵌合状態の斜視図である。
【図７】図６に示す矢印Ａ−Ａおよび矢印Ｂ−Ｂに沿う、２つのコネクタの断面図である。
【図８】本発明の第２実施形態としてのコネクタの外観斜視図である。
【図９】図８に示すコネクタの分解斜視図である。
【図１０】相手コネクタの外観斜視図である。
【図１１】図８，図９に示すコネクタと図１０に示す相手コネクタを嵌合の姿勢に合わせて示した、嵌合前の状態の斜視図である。
【図１２】図１１に示す矢印Ａ−Ａおよび矢印Ｂ−Ｂに沿う、２つのコネクタの断面図である。
【図１３】図８，図９に示すコネクタと図１０に示す相手コネクタの、嵌合状態の斜視図である。
【図１４】図１３に示す矢印Ａ−Ａおよび矢印Ｂ−Ｂに沿う、２つのコネクタの断面図である。
【発明を実施するための形態】
【００２１】
以下、本発明の実施の形態を説明する。
【００２２】
図１は、本発明の第１実施形態としてのコネクタの外観斜視図である。
【００２３】
また、図２は、図１に示すコネクタの分解斜視図である。
【００２４】
このコネクタ１は、樹脂ハウジング１０を備えている。この樹脂ハウジング１０は、図１，図２に示す上面に、略長方形状に形成された、相手コネクタとの嵌合面１１を有する。
【００２５】
また、この樹脂ハウジング１０は、嵌合面１１から上方（嵌合時の相手コネクタ側）に突き出て嵌合面１１の長手方向に延びる嵌合突条１２が形成されている。この嵌合突条１２には、複数のコンタクト２０が配列されている。これらのコンタクト２０は、樹脂ハウジング１０に一体成形されている。樹脂ハウジング１０の不図示の下面には、これらのコンタクト２０の半田付け部２１が整列している。これらの半田付け部２１は、コンタクト２０の配列に沿って、樹脂ハウジング１０の下面を、左右に交互に延びている。これらの半田付け部２１は、このコネクタ１が搭載される回路基板（不図示）に半田付けされる。      
【００２６】
また、このコネクタ１０は金属シェル３０を備えている、本実施形態における金属シェル３０は、その全体が一体に繋がった１つの部品からなり、絞り加工と折曲げ加工を経て形成されたものである。この金属シェル３０は、基部３１と、湾曲部３２と、支持部３３とを有する。基部３１は、樹脂ハウジング１０の嵌合面１１の周縁から立ち上がり、その周縁に沿って延びて嵌合面１１を一周に亘って略長方形状に取り巻いた形状を有する。また、湾曲部３２は、基部３１の上端に繋がり内向きに半円形状に湾曲している。この湾曲部３２は、この半円形状に湾曲した形状により、嵌合しようとしている相手コネクタを容易に正しい嵌合位置に案内する役割を担っている。
【００２７】
さらに、支持部３３は、湾曲部３２から基部３１の内壁面に沿い、樹脂ハウジング１０の嵌合面１１に向かって垂下した形状を有する。この支持部３３は、嵌合してきた相手コネクタを支持する役割を担っている。この支持部３３は、基部３１と合わせて２倍の厚みの金属板となって、この部分を補強している。これにより、相手コネクタをさらにしっかりと支持する構造となっている。
【００２８】
また、この金属シェル３０の湾曲部３２および支持部３３は、基部３１の略長方形状の４隅を除く領域に形成されている。この金属シェル３０の４隅の領域は、湾曲部３２および支持部３３を除く基部３１のみで形成されている。このため、相手コネクタを受け入れる幅は、基部３１のみからなる長手方向両端部において、中央の部分よりも広くなっている。
【００２９】
さらに、この金属シェル３０の長手方向両端部の支持部３３ａには、内向きに突き出たロック部３４（図５，図７を合わせて参照）が形成されている。このロック部３４は、相手コネクタを嵌合した状態にロックする役割を担っている。
【００３０】
さらに、この金属シェル３０の長手方向両端部には、基部３１の下端に繋がり水平に延びる半田付け部３５が形成されている。これらの半田付け部３５は、このコネクタ１が搭載される回路基板（不図示）に、コンタクト２０の半田付け部２１とともに半田付けされる。そして、これらの半田付け部３５は、半田付けにより、コネクタ１を回路基板に強固に固定する。
【００３１】
ここで、嵌合してきた相手コネクタの幅方向両側部は、金属シェル３０の支持部３３のうちの長手方向に延びる支持部３３ｂ、すなわち幅方向両側の支持部３３ｂによって、両側から挟まれるように支持される。ただし、本実施形態の樹脂ハウジング１０には、金属シェル３０の、相手コネクタの両側面を支持する支持部３３ｂの側面に沿う立壁は形成されていない。すなわち、この部分の金属シェル３０の支持部３３ｂは、相手コネクタの幅方向両側面を、樹脂ハウジング１０の支えなしに単独で支持する構造となっている。
【００３２】
本実施形態のコネクタ１は、この構造、すなわち、樹脂ハウジング１０には金属シェル３０の支持部３３ｂの側面に沿う立壁を形成せずに、相手コネクタを金属シェル３０で幅方向両側から支持する構造としたことにより、狭幅化を実現している。
【００３３】
また、本実施形態のコネクタ１は、金属シェル３０に上記の湾曲部３２を設けることで、相手コネクタを正しい嵌合位置に案内する構造としたことから、狭幅化を実現しつつ、さらに、相手コネクタの嵌合を容易にした構造となっている。
【００３４】
樹脂ハウジング１０には、略長方形状を有する嵌合面の４隅のそれぞれを区画して立ち上がったＬ字形の台部１３が形成されている。金属シェル３０は、その基部３１の４隅がこれらの台部１３の上に載った姿勢に、樹脂ハウジング１０に固定される。この樹脂ハウジング１０には、４隅のＬ字形の台部１３よりもさらに４隅に寄った４つの角部に、金属シェル３０を保持する保持部１４が設けられている。金属シェル３０は、これら４隅の保持部１４に挟まれた領域に少し強めに嵌め込まれる。すると、金属シェル３０の基部３１の４隅の外面が保持部１４で押された状態となり、これにより、金属シェル３０が樹脂ハウジング１０に保持される。この金属シェル３０は、長手方向両端の半田付け部３５が回路基板（不図示）に半田付けされる。このため、樹脂ハウジング１０による金属シェル３０の保持は、４隅の保持部１４による保持のみで十分である。
【００３５】
図３は、相手コネクタの外観斜視図である。この相手コネクタ２は、図１，図２に示す本実施形態のコネクタと嵌合するコネクタである。この図３には、相手コネクタ２が、図１，図２に示すコネクタ１と嵌合する嵌合部を上に向けた姿勢に示されている。
【００３６】
この相手コネクタ２は、樹脂ハウジング４０と、複数のコンタクト５０と、長手方向両端の補強金具６０とを備えている。樹脂ハウジング４０には、長手方向に延びる嵌合溝４１が形成されている。この相手コネクタ２が、図１，図２に示すコネクタ１に嵌合すると、コネクタ１の樹脂ハウジング１０に設けられている嵌合突条１２が、この相手コネクタ２の樹脂ハウジング４０に設けられている嵌合溝４１に嵌入する。
【００３７】
この嵌合溝４１には、複数のコンタクト５０が圧入されて配列されている。図１，図２のコネクタ１の嵌合突条１２がこの嵌合溝４１に嵌入すると、図１，図２のコネクタ１の複数のコンタクト２０と、この相手コネクタ２の複数のコンタクト５０が、互いに対応するコンタクト２０，５０ごとに接触して電気的に接続される。
【００３８】
この相手コネクタ２は、図３に示す姿勢における下面が不図示の回路基板に接した姿勢に、その回路基板に搭載される。この相手コネクタ２が搭載される回路基板は、図１，図２に示すコネクタ１が搭載される回路基板とは別の回路基板である。各コンタクト５０には、ピン形状に突き出た半田接続部５１（図４，図６参照）が設けられている。この相手コネクタ２が回路基板（不図示）に搭載されると、コンタクト５０の半田接続部５１がその回路基板に設けられた孔に挿入され、その状態で半田接続部５１が回路基板に半田付けされる。
【００３９】
また、補強金具６０は、ハウジング４０の長手方向両端部に固定されている。この補強金具６０には、長手方向外向きの面にロック孔６１が設けられている。このロック孔６１には、この相手コネクタ２が図１，図２に示すコネクタ１に嵌合したときに、コネクタ１の金属シェル３０に設けられているロック部３４が入り込む。そして、ロック部３４がロック孔６１に入り込むことによって、コネクタ１と相手コネクタ２との嵌合が容易には外れないようにロックされる。
【００４０】
また、この補強金具６０には、水平に延びる半田付け部６２が設けられている。この半田付け部６２は、この相手コネクタ２が搭載される回路基板（不図示）に、コンタクト５０の半田付け部５１とともに半田付けされる。そして、補強金具６０の半田付け部６２は、半田付けにより、相手コネクタ２を回路基板に強固に固定する。
【００４１】
ここで、この相手コネクタ２の、補強金具６０が取り付けられている長手方向両端部における幅寸法は、長手方向中央部分の幅寸法よりも幅広となっている。この両端部は、図１，図２に示すコネクタ１の両端部の、金属シェル３０が基部３１のみで形成された幅広の部分に嵌り込む。この相手コネクタ２の長手方向両端部は、幅広のため、コネクタ１の金属シェル３０の、長手方向に延びる支持部３３ｂが形成された部分には、嵌り込むことはできない。仮に、相手コネクタ２の長手方向両端部が、長手方向中央部分と同じ幅寸法を有していたとする。すなわち、相手コネクタの長手方向端部がコネクタ１の両端部から外れた中央部分に嵌り込む幅寸法を有しているとする。すると、相手コネクタ２がコネクタ１に対し長手方向にずれたまま、相手コネクタ２が斜めになって、その相手コネクタ２の一方の端部がコネクタ１に誤嵌合するおそれがある。この誤嵌合が生じると、コネクタ１の嵌合突条１２やコンタクト２０を変形させ、故障の原因となれるおそれがある。本実施形態の場合、金属シェル３０の４隅が基部３１のみで繋がっていることからコネクタ１の両端部が幅広となっていて、相手コネクタの両端部は、その幅広の部分にのみ嵌り込むことができる。すなわち、本実施形態の場合、長手方向にずれたまま嵌合することが防止されている。
【００４２】
図４は、図１，図２に示すコネクタと図３に示す相手コネクタを嵌合の姿勢に合わせて示した、嵌合前の状態の斜視図である。
【００４３】
ここでは、嵌合の姿勢に合わせているため、相手コネクタ２の下面が上向きに示されている。
【００４４】
図５は、図４に示す矢印Ａ−Ａおよび矢印Ｂ−Ｂに沿う、２つのコネクタの断面図である。
【００４５】
ここで、図５（Ａ）は、矢印Ａ−Ａに沿う、２つのコネクタの長手方向の断面図である。また、図５（Ｂ）は、矢印Ｂ−Ｂに沿う、２つのコネクタの幅方向の断面図である。図５（Ｂ）の幅方向の断面図は、見易さのために、図４，図５（Ａ）よりも拡大して示している。
【００４６】
また、図６は、図１，図２に示すコネクタと図３に示す相手コネクタの、嵌合状態の斜視図である。
【００４７】
さらに、図７は、図６に示す矢印Ａ−Ａおよび矢印Ｂ−Ｂに沿う、２つのコネクタの断面図である。
【００４８】
ここで、図７（Ａ），（Ｂ）は、嵌合前後の違いを除き、それぞれ図５（Ａ），（Ｂ）と同様の図である。図７（Ｂ）の断面図は、これも図５（Ｂ）と同様、見易さのために拡大して示している。
【００４９】
図５（Ａ），図７（Ａ）には、コネクタ１の金属シェル３０の設けられているロック部３４と、相手コネクタ２の補強金具６０に設けられている、そのロック部３４が入り込むロック孔６１があらわれている。
【００５０】
コネクタ１に相手コネクタ２が嵌合するにあたり、その長手方向については、コネクタ１の金属シェル３０の長手方向両端の湾曲部３２に相手コネクタ２の補強金具６０が接して案内されて嵌合する。コネクタ１及び相手コネクタ２が互いに嵌合すると、ロック部３４がロック孔６１に入り込み、その嵌合が容易には外れることはない。
【００５１】
コネクタ１に相手コネクタ２が嵌合するにあたり、その幅方向については、図５（Ｂ），図７（Ｂ）に示すように、コネクタ１の金属シェル３０の幅方向両側の湾曲部３２に相手コネクタ２のハウジング４０が接して案内されて嵌合する。この嵌合により、コネクタ１のコンタクト２０は、嵌合突条１２（図１，図２参照）とともに相手コネクタ２の嵌合溝４１に入り込む。そして、コネクタ１のコンタクト２０は、相手コネクタ２のコンタクト５０に両側から挟まれるようにして、相手コネクタ２のコンタクト５０に接触する。なお、図７（Ｂ）には、コンタクト２０に相手コネクタ２のコンタクト５０が食い込んでいるように示されているが、これは、弾性変形する前の形状を示しているためである。実際は、相手コネクタ２のコンタクト５０がコンタクト２０の嵌入によって弾性的に広がり、それらのコンタクト２０，５０が所期の接触圧で接触する。
【００５２】
次に、本発明の第２実施形態について説明する。
【００５３】
図８は、本発明の第２実施形態としてのコネクタの外観斜視図である。
【００５４】
ここで、図８（Ａ）は、相手コネクタ（後述する）と嵌合する嵌合面を上方に向けた姿勢の斜視図である。また、図８（Ｂ）は、回路基板（不図示）に搭載される下面を上に向けた姿勢の斜視図である。
【００５５】
また、図９は、図８に示すコネクタの分解斜視図である。
【００５６】
このコネクタ１０１は、樹脂ハウジング１１０を備えている。この樹脂ハウジング１１０は、図８（Ａ），図９に示す上面に、略長方形状に形成された、相手コネクタとの嵌合面１１１を有する。
【００５７】
また、この樹脂ハウジング１１０は、嵌合面１１１から上方（嵌合時の相手コネクタ側）に突き出て嵌合面１１１の長手方向に延びる嵌合突条１１２が形成されている。この嵌合突条１１２には、複数のコンタクト１２０が配列されている。これらのコンタクト１２０は、樹脂ハウジング１１０に一体成形されている。樹脂ハウジング１１０の下面（図８（Ｂ）参照）には、これらのコンタクト１２０の半田付け部１２１が整列している。これらの半田付け部１２１は、コンタクト１２０の配列に沿って、樹脂ハウジング１１０の下面を、左右に交互に延びている。これらの半田付け部１２１は、このコネクタ１０１が搭載される回路基板（不図示）に半田付けされる。また、このコネクタ１０１は金属シェル１３０を備えている、本実施形態における金属シェル１３０は、前述の第１実施形態のコネクタ１の金属シェル３０とは異なり、打抜き加工と折曲げ加工を経て形成されたものである。ただし、前述の第１実施形態における金属シェル３０は、その全体が一体に繋がった１つの部品からなる金属シェルである。それに対し、本実施形態における金属シェル１３０はその長手方向両端の中央で分かれた２つの部品１３０ａ，１３０ｂで構成されている。これら２つの部品１３０ａ，１３０ｂは互いに同一の形状を有している。そして、それら２つの部品１３０ａ，１３０ｂが、それら２つの部品１３０ａ，１３０ｂで共同して、嵌合面１１１を一周に亘って取り巻くように配置されている。
【００５８】
この金属シェル１３０は、基部１３１と、湾曲部１３２と、支持部１３３とを有する。基部１３１は、樹脂ハウジング１１０の嵌合面１１１の周縁から立ち上がり、その周縁に沿って延びて嵌合面１１１を一周に亘って略長方形状に取り巻いた形状を有する。また、湾曲部１３２は、基部１３１の上端に繋がり内向きに半円形状に湾曲している。この湾曲部１３２は、この半円形状に湾曲した形状により、嵌合しようとしている相手コネクタを容易に正しい嵌合位置に案内する役割を担っている。
【００５９】
さらに、支持部１３３は、湾曲部１３２から基部１３１の内壁面に沿い、樹脂ハウジング１１０の嵌合面１１１に向かって垂下した形状を有する。この支持部１３３は、嵌合してきた相手コネクタを支持する役割を担っている。この支持部１３３は、基部１３１と合わせて２倍の厚みの金属板となって、この部分を補強している。これにより、相手コネクタをさらにしっかりと支持する構造となっている。
【００６０】
また、この金属シェル１３０の湾曲部１３２および支持部１３３は、基部１３１の略長方形状の４隅を除く領域に形成されている。この金属シェル１３０の４隅の領域は、湾曲部１３２および支持部１３３を除く基部１３１のみで形成されている。このため、相手コネクタを受け入れる幅は、基部１３１のみからなる長手方向両端部において、中央の部分よりも広くなっている。
【００６１】
さらに、この金属シェル１３０の長手方向両端部の支持部１３３ａには、外向きに窪んだ窪み部１３４（図１２，図１４を合わせて参照）が形成されている。この窪み部１３４は、相手コネクタを嵌合した状態にロックする役割を担っている。
【００６２】
さらに、この金属シェル１３０の長手方向両端部と、その両端部近傍の両側部には、基部１３１の下端からさらに下方に延びた半田付け部１３５が形成されている。これらの半田付け部１３５は、このコネクタ１０１が搭載される回路基板（不図示）に、コンタクト１２０の半田付け部１２１とともに半田付けされる。そして、これらの半田付け部１３５は、半田付けにより、コネクタ１０１を回路基板に強固に固定する。
【００６３】
ここで、嵌合してきた相手コネクタの幅方向両側部は、金属シェル１３０の支持部１３３のうちの長手方向に延びる支持部１３３ｂ、すなわち幅方向両側の支持部１３３ｂによって、両側から挟まれるように支持される。ただし、本実施形態の樹脂ハウジング１１０には、金属シェル１３０の、相手コネクタの両側面を支持する支持部１３３ｂの側面に沿う立壁は形成されていない。すなわち、この部分の金属シェル１３０の支持部１３３ｂは、相手コネクタの幅方向両側面を、樹脂ハウジング１１０の支えなしに単独で支持する構造となっている。
【００６４】
本実施形態のコネクタ１０１は、この構造、すなわち、樹脂ハウジング１１０には金属シェル１３０の支持部１３３ｂの側面に沿う立壁を形成せずに、相手コネクタを金属シェル１３０で幅方向両側から支持する構造としたことにより、狭幅化を実現している。
【００６５】
また、本実施形態のコネクタ１０１は、金属シェル１３０に上記の湾曲部１３２を設けることで、相手コネクタを正しい嵌合位置に案内する構造としたことから、狭幅化を実現しつつ、さらに、相手コネクタの嵌合を容易にした構造となっている。
【００６６】
樹脂ハウジング１１０には、略長方形状を有する嵌合面の４隅のそれぞれを区画して立ち上がったＬ字形の台部１１３が形成されている。金属シェル１３０は、その基部１３１の４隅がこれらの台部１１３の上に載った姿勢に、樹脂ハウジング１１０に固定される。この樹脂ハウジング１１０には、両側部の、４隅のＬ字形の台部１１３のそれぞれに隣接した位置に、金属シェル１３０を保持する保持溝１１４が設けられている。これらの保持溝１１４には、上記の半田付け部１３５のうちの、長手方向両端部近傍の両側部に形成されている合計４つの半田付け部１３５ａが、それぞれ対応する保持溝１１４に軽圧入で嵌め込まれる。これにより、金属シェル１３０を構成する２つの部品１３０ａ、１３０ｂが樹脂ハウジング１１０に保持される。金属シェル１３０の半田付け部１３５は、回路基板（不図示）に半田付けされる。このため、樹脂ハウジング１１０による金属シェル１３０の各部品１３０ａ、１３０ｂの保持は、２つの保持溝１１４による保持のみで十分である。
【００６７】
図１０は、相手コネクタの外観斜視図である。この相手コネクタ１０２は、図８，図９に示す本実施形態のコネクタと嵌合するコネクタである。この図１０には、相手コネクタ１０２が、図８，図９に示すコネクタ１０１と嵌合する嵌合部を上に向けた姿勢に示されている。
【００６８】
この相手コネクタ１０２は、樹脂ハウジング１４０と、複数のコンタクト１５０と、長手方向両端の補強金具１６０とを備えている。樹脂ハウジング１４０には、長手方向に延びる嵌合溝１４１が形成されている。この相手コネクタ１０２が、図８，図９に示すコネクタ１０１に嵌合すると、コネクタ１０１の樹脂ハウジング１１０に設けられている嵌合突条１１２が、この相手コネクタ１０２の樹脂ハウジング１４０に設けられている嵌合溝１４１に嵌入する。
【００６９】
この嵌合溝１４１には、複数のコンタクト１５０が圧入されて配列されている。図８，図９のコネクタ１０１の嵌合突条１１２がこの嵌合溝１４１に嵌入すると、図８，図９のコネクタ１０１の複数のコンタクト１２０と、この相手コネクタ１０２の複数のコンタクト１５０が、互いに対応するコンタクト１２０，１５０ごとに接触して電気的に接続される。
【００７０】
この相手コネクタ１０２は、図１０に示す姿勢における下面が不図示の回路基板に接した姿勢に、その回路基板に搭載される。この相手コネクタ１０２が搭載される回路基板は、図８，図９に示すコネクタ１０１が搭載される回路基板とは別の回路基板である。各コンタクト１５０には、樹脂ハウジング１４０の下面１４２に沿って樹脂ハウジング１４０の幅方向左右に交互に延びた半田接続部１５１（図１１，図１３参照）が設けられている。この相手コネクタ１０２が回路基板（不図示）に搭載されると、コンタクト１５０の半田接続部１５１がその回路基板の表面に半田付けされる。
【００７１】
また、補強金具１６０は、ハウジング４０の長手方向両端部に固定されている。この補強金具１６０には、長手方向外向きの面に外向きに突き出た突起部１６１が設けられている。この突起部１６１は、この相手コネクタ１０２が図８，図９に示すコネクタ１０１に嵌合したときに、コネクタ１０１の金属シェル１３０に設けられている窪み部１３４に入り込む。そして、窪み部１３４に突起部１６１が入り込むことによって、コネクタ１０１と相手コネクタ１０２との嵌合が容易には外れないようにロックされる。
【００７２】
また、この補強金具１６０には、水平に延びる半田付け部１６２が設けられている。この半田付け部１６２は、この相手コネクタ１０２が搭載される回路基板（不図示）に、コンタクト１５０の半田付け部５１とともに半田付けされる。そして、補強金具１６０の半田付け部１６２は、半田付けにより、相手コネクタ１０２を回路基板に強固に固定する。
【００７３】
ここで、この相手コネクタ１０２の、補強金具１６０が取り付けられている長手方向両端部における幅寸法は、長手方向中央部分の幅寸法よりも幅広となっている。この両端部は、図８，図９に示すコネクタ１０１の両端部の、金属シェル１３０が基部１３１のみで形成された幅広の部分に嵌り込む。この相手コネクタ１０２の長手方向両端部は、幅広のため、コネクタ１０１の金属シェル１３０の、長手方向に延びる支持部１３３ｂが形成された部分には、嵌り込むことはできない。仮に、相手コネクタ１０２の長手方向両端部が、長手方向中央部分と同じ幅寸法を有していたとする。すなわち、相手コネクタの長手方向端部がコネクタ１０１の両端部から外れた中央部分に嵌り込む幅寸法を有しているとする。すると、相手コネクタ１０２がコネクタ１０１に対し長手方向にずれたまま、相手コネクタ１０２が斜めになって、その相手コネクタ１０２の一方の端部がコネクタ１０１に誤嵌合するおそれがある。この誤嵌合が生じると、コネクタ１０１の嵌合突条１１２やコンタクト１２０を変形させ、故障の原因となれるおそれがある。本実施形態の場合、金属シェル１３０の４隅が基部１３１のみで形成されていることからコネクタ１０１の両端部が幅広となっていて、相手コネクタの両端部は、その幅広の部分にのみ嵌り込むことができる。すなわち、本実施形態の場合、長手方向にずれたまま嵌合することが防止されている。
【００７４】
図１１は、図８，図９に示すコネクタと図１０に示す相手コネクタを嵌合の姿勢に合わせて示した、嵌合前の状態の斜視図である。
【００７５】
ここでは、嵌合の姿勢に合わせているため、相手コネクタ１０２の下面が上向きに示されている。
【００７６】
図１２は、図１１に示す矢印Ａ−Ａおよび矢印Ｂ−Ｂに沿う、２つのコネクタの断面図である。
【００７７】
ここで、図１２（Ａ）は、矢印Ａ−Ａに沿う、２つのコネクタの長手方向の断面図である。また、図１２（Ｂ）は、矢印Ｂ−Ｂに沿う、２つのコネクタの幅方向の断面図である。図１２（Ｂ）の幅方向の断面図は、見易さのために、図１１，図１２（Ａ）よりも拡大して示している。
【００７８】
また、図１３は、図８，図９に示すコネクタと図１０に示す相手コネクタの、嵌合状態の斜視図である。
【００７９】
さらに、図１４は、図１３に示す矢印Ａ−Ａおよび矢印Ｂ−Ｂに沿う、２つのコネクタの断面図である。
【００８０】
ここで、図１４（Ａ），（Ｂ）は、嵌合前後の違いを除き、それぞれ図１２（Ａ），（Ｂ）と同様の図である。図１４（Ｂ）の断面図は、これも図１２（Ｂ）と同様、見易さのために拡大して示している。
【００８１】
図１２（Ａ），図１４（Ａ）には、コネクタ１０１の金属シェル１３０の設けられている窪み部１３４と、相手コネクタ１０２の補強金具１６０に設けられている、その窪み部１３４に入り込む突起部１６１があらわれている。
【００８２】
コネクタ１０１に相手コネクタ１０２が嵌合するにあたり、その長手方向については、コネクタ１０１の金属シェル１３０の長手方向両端の湾曲部１３２に相手コネクタ１０２の補強金具１６０が接して案内されて嵌合する。コネクタ１０１及び相手コネクタ１０２が互いに嵌合すると、窪み部１３４に突起部１６１に入り込み、その嵌合が容易には外れることはない。
【００８３】
コネクタ１０１に相手コネクタ１０２が嵌合するにあたり、その幅方向については、図１２（Ｂ），図１４（Ｂ）に示すように、コネクタ１０１の金属シェル１３０の幅方向両側の湾曲部１３２に相手コネクタ１０２のハウジング４０が接して案内されて嵌合する。この嵌合により、コネクタ１０１のコンタクト１２０は、嵌合突条１１２（図８，図９参照）とともに相手コネクタ１０２の嵌合溝１４１に入り込む。そして、コネクタ１０１のコンタクト１２０は、相手コネクタ１０２のコンタクト１５０に両側から挟まれるようにして、相手コネクタ１０２のコンタクト１５０に接触する。なお、図１４（Ｂ）には、コンタクト１２０に相手コネクタ１０２のコンタクト１５０が食い込んでいるように示されているが、これは、弾性変形する前の形状を示しているためである。実際は、相手コネクタ１０２のコンタクト１５０がコンタクト１２０の嵌入によって弾性的に広がり、それらのコンタクト１２０，１５０が所期の接触圧で接触する。
【００８４】
なお、前述の第１実施形態では、コンタクト２０が長手方向に２０本並ぶコネクタ１を示した。また、第２実施形態では、コンタクト１２０が長手方向に１０本並ぶコネクタ１０１を示した。ただし、配列されるコンタクトの本数は２０本、１０本に限られるものではなく、その本数は任意である。コネクタの長さ寸法は、コンタクトの配列本数によって調整される。
【００８５】
一方、コネクタの幅寸法については、コンタクトの長手方向の配列本数にはかかわりなく、狭幅化が維持される。
【符号の説明】
【００８６】
１，１０１  コネクタ
２，１０２  相手コネクタ
１０，１１０  樹脂ハウジング
１１，１１１  嵌合面
１２，１１２  嵌合突条
１３，１１３  台部
１４  保持部
２０，１２０  コンタクト
２１，１２１  半田付け部
３０，１３０  金属シェル
３１，１３１  基部
３２，１３２  湾曲部
３３，１３３  支持部
３４  ロック部
３５，１３５  半田付け部
４０，１４０  樹脂ハウジング
４１，１４１  嵌合溝
５０，１５０  コンタクト
５１，１５１  半田接続部
６０，１６０  補強金具
６１  ロック孔
６２，１６２  半田付け部
１１４  保持溝
１３０ａ，１３０ｂ  部品
１３４  窪み部
１６１  突起部
【図１】
2017050269.tif 000003
【図２】
2017050269.tif 000004
【図３】
2017050269.tif 000005
【図４】
2017050269.tif 000006
【図５】
2017050269.tif 000007
【図６】
2017050269.tif 000008
【図７】
2017050269.tif 000009
【図８】
2017050269.tif 000010
【図９】
2017050269.tif 000011
【図１０】
2017050269.tif 000012
【図１１】
2017050269.tif 000013
【図１２】
2017050269.tif 000014
【図１３】
2017050269.tif 000015
【図１４】
2017050269.tif 000016